【事件の表示】
　商願２０１３−５１９１１拒絶査定不服審判事件についてした平成２７年３月３０日付け審決に対し，知的財産高等裁判所において審決取消の判決（平成２７年（行ケ）第１０１５９号，平成２８年１月２０日判決言渡）があったので，さらに審理のうえ，次のとおり審決する。
【結　論】
　原査定を取り消す。
　本願商標は，登録すべきものとする。
【理　由】
第１　本願商標
　本願商標は，別掲１のとおりの構成よりなり，第２５類「履物，運動用特殊靴，帽子・その他の被服，ガーター，靴下止め，ズボンつり，バンド，ベルト，仮装用衣服，運動用特殊衣服」を指定商品として，平成２５年７月４日に登録出願されたものである。
第２　引用商標
　原査定において，本願商標が商標法第４条第１項第１１号に該当するとして，本願の拒絶の理由に引用した登録第５５３２５７１号商標（以下「引用商標」という。）は，別掲のとおりの構成よりなり，平成２４年５月２日に登録出願，第２５類「被服，ガーター，靴下止め，ズボンつり，バンド，ベルト，履物，仮装用衣服，運動用特殊衣服，運動用特殊靴」を指定商品として，同年１１月２日に設定登録されたものであって，その商標権は現に有効に存続している。
 　 
第３　当審の判断
１　本願商標について
（１）本願商標は，別掲１のとおり，右側に鋭角の頂点を有する黒地の三角形の左端に縦に白線を表し，当該三角形全体を左から右に波打つように旗状に表した図形を中央に大きく配し，その上段に，「Ｒｅｅｂｏｋ」の文字を図案化された特徴のある書体で表し，図形の下段に「ＲＯＹＡＬ」及び「ＦＬＡＧ」の各文字を１文字程度の間隔を空けて，上段の文字部分よりも小さく，かつ細いゴシック体で表してなるものである。
　本願商標は，その構成全体から，「リーボックロイヤルフラッグ」との称呼を生じる。
　また，本願商標中の「Ｒｅｅｂｏｋ」の文字部分は，運動用の被服や履物等の製造販売を主たる業務とするスポーツブランドである請求人の商号の略称又はその展開するブランドの名称，あるいは，その業務に係る商品の出所を表示する商標として，我が国の取引者，需要者の間に広く認識されているものと認められる（甲２０〜２４，５３）。
　そうすると，本願商標中の「Ｒｅｅｂｏｋ」の文字部分は，取引者，需要者に対し，商品の出所識別標識として強く支配的な印象を与えるから，当該文字部分から，「リーボック」という称呼も生じるというべきである。
　ところで，「ＲＯＹＡＬ　ＦＬＡＧ」という文字部分は，一連の語が既成語として辞書に掲載されているものではないが，「ＲＯＹＡＬ」が「王の，王室の」を意味する英単語であり（甲１，５０等），「ＦＬＡＧ」が「旗」を意味する英単語であって（甲２，３５等），我が国における英語の普及率に照らせば，取引者，需要者に対し，「王の旗」といった意味を想起させるということができる。そして，上記のとおり，「Ｒｅｅｂｏｋ」の文字部分が，請求人の商号の略称又はその展開するブランドの名称，あるいは，その業務に係る商品の出所を表示する商標として，我が国の取引者，需要者の間に広く認識されていることに照らすと，本願商標全体から，「リーボックの展開する『ＲＯＹＡＬ　ＦＬＡＧ』（王の旗）という商品シリーズ」といった観念が生じ，あるいは，本願商標中の「Ｒｅｅｂｏｋ」の文字部分から，「リーボック」の観念が生じるものということができる。
（２）他方，本願商標の外観は，前記（１）のとおり，右側に鋭角の頂点を有する黒地の三角形の左端に縦に白線を表し，当該三角形全体を左から右に波打つように旗状に表した図形を中央に大きく配し，その上段に，「Ｒｅｅｂｏｋ」の文字を図案化された特徴のある書体で表し，図形の下段に「ＲＯＹＡＬ」及び「ＦＬＡＧ」の各文字を１文字程度の間隔を空けて，上段の文字部分よりも小さく，かつ細いゴシック体で表してなるものであり，全体としてまとまりよく表されている。これに加え，中央に配された図形の大きさ及びその形状並びにその上段に配された「Ｒｅｅｂｏｋ」の文字の大きさ及びその図案化された特徴のある書体に比べ，図形部分の下段に配された「ＲＯＹＡＬ　ＦＬＡＧ」の文字部分は，小さく，すなわち「ＲＯＹＡＬ　ＦＬＡＧ」の冒頭の「Ｒ」と「Ｒｅｅｂｏｋ」の冒頭の「Ｒ」の文字の大きさを比べると，前者は後者の１０分の１程度の大きさしかなく，かつ細い文字で表され，しかも，ゴシック体という一般的な書体であるから，その外観上，「ＲＯＹＡＬ　ＦＬＡＧ」の文字部分だけが独立して見る者の注意をひくように構成されているということはできない。
　そして，本願商標中の「ＲＯＹＡＬ　ＦＬＡＧ」の文字部分は，それ自体が自他商品を識別する機能が全くないというわけではないものの，商品の出所識別標識として強く支配的な印象を与える「Ｒｅｅｂｏｋ」の文字部分との対比においては，取引者，需要者に対し，商品の出所識別標識として強く支配的な印象を与えるものであるということはできない。
　したがって，本願商標の構成のうち「ＲＯＹＡＬ　ＦＬＡＧ」の文字部分だけを抽出して，引用商標と比較して類否を判断することは相当ではない。
（３）そうすると，本願商標については，全体として一体的に観察し，又は商品の出所識別標識として強く支配的な印象を与える「Ｒｅｅｂｏｋ」の文字部分を抽出して，引用商標との類否を判断するのが相当である。
２　引用商標について
　引用商標は，別掲のとおり，「ＲＯＹＡＬ」及び「ＦＬＡＧ」の各文字部分の間に僅かなスペースを空け，「ＲＯＹＡＬ ＦＬＡＧ」と横書きしてなるものである。そして，各文字部分は，各語頭の「Ｒ」と「Ｆ」の欧文字が他の文字よりもやや縦長に大きく（他の文字よりも３分の１程度上方向に突出するように高く）表されているが，他の文字は同じ大きさであり，全体として同じ書体で表されている。また，引用商標からは，「ロイヤルフラッグ」の称呼を生じ，「王の旗」の観念を生じる。
３　本願商標と引用商標の類否について
（１）本願商標と引用商標とを対比すると，本願商標と引用商標とは，「ＲＯＹＡＬ　ＦＬＡＧ」の構成を有する点で共通するものの，本願商標は中央に旗状の図形部分及びその上段に「Ｒｅｅｂｏｋ」の文字部分の各構成を有するのに対し，引用商標はこれらの構成を有しないから，両商標は，外観を異にする。
　また，本願商標からは，「リーボックロイヤルフラッグ」又は「リーボック」との称呼が生じ，「リーボックの展開する『ＲＯＹＡＬ　ＦＬＡＧ』（王の旗）という商品シリーズ」又は「リーボック」といった観念が生じるのに対し，引用商標からは，「ロイヤルフラッグ」の称呼及び「王の旗」の観念が生じることが認められるから，本願商標と引用商標とは，称呼及び観念を異にする。
（２）取引の実情について
　証拠（甲５，２２）によれば，〈1〉請求人が製造販売する運動用の被服や履物等の商品には，一般に，請求人の展開するブランドの商品であることを示す「Ｒｅｅｂｏｋ」に係る商標が付されていること，〈2〉オンラインショップのインターネットページには，商品カテゴリーとして，請求人の展開する「ＥＡＳＹＴＯＮＥ（イージートーン）」，「ＰＵＭＰ（ポンプ）」，「ＦＲＥＥＳＴＹＬＥ（フリースタイル）」，「ＳＫＹＳＣＡＰＥ（スカイスケープ）」等の名称の商品シリーズが示されているが，これらの商品シリーズに属する個々の商品についても，ほぼ全てについて，「Ｒｅｅｂｏｋ（リーボック）」に係る商標が付されていることが認められる。
（３）そうすると，本願商標と引用商標とが，その外観，称呼及び観念において相違することに加え，前記（２）の取引の実情をも考慮すれば，本願商標と引用商標とが，同一又は類似する商品に使用されたとしても，取引者，需要者において，その商品の出所について誤認混同を生ずるおそれがあると認めることはできない。
　したがって，本願商標は，引用商標に類似しないというべきである。
４　まとめ
　以上のとおり，本願商標と引用商標とは非類似の商標であるから，本願商標は，商標法第４条第１項第１１号に該当しない。
　その他，本願について拒絶の理由を発見しない。
　よって，結論のとおり審決する。